(57)【要約】【課題】　遊技者が、能動的に、自ら希望するような入賞ラインの図柄を、ラインリール用ストップスイッチの停止操作によって、選択することができて、遊技を興味溢れるものにすることができるようにした遊技機を提供する。【解決手段】　入賞図柄決定用回転リール(47)の回転停止後、ラインリール用ストップスイッチ(51)の操作により、ライン決定用回転リール(46)の回転を停止操作可能に形成すると共に、特定の入賞の入賞フラグが成立中、入賞図柄決定用回転リール(47)の停止図柄(61)が固定入賞ライン上では入賞が確定していない場合、追加入賞ラインによって入賞が確定するようにライン決定用回転リール(46)の引き込みが行われるように形成した。【選択図】　　図１
2004000789.tif 000002
【特許請求の範囲】
【請求項１】
　周囲に複数の図柄を表示した複数の回転リールと、前記回転リールの回転及び停止を制御するための制御装置とを備え、
　前記制御装置は、予め定めた抽選確率に基づいて入賞か否かの入賞判定の抽選を行う入賞抽選手段を備え、
　前記入賞抽選手段による抽選結果が入賞である場合に入賞フラグが成立し、この入賞フラグ成立中に、複数の前記回転リールが停止した状態で、正面側に表示される複数の図柄が所定の方向の有効な入賞ライン上に揃うことを条件に遊技者に利益を付与するようにした遊技機において、
　前記回転リールは、
　周囲に複数の図柄を表示して、有効入賞ライン上に入賞図柄が揃うことによって、入賞確定を表示するための複数個の入賞図柄決定用回転リールと、
　前記入賞ラインを決定するためのライン決定用回転リールとを備え、
　前記制御装置は、前記ライン決定用回転リールの停止図柄に基づいて前記入賞ラインを決定するためのライン決定リール回転制御手段を備え、
　前記入賞ラインは、予め決定されている固定入賞ラインと、前記固定入賞ライン以外に新たに追加される一以上の追加入賞ラインとを備え、
　前記追加入賞ラインは、前記ライン決定リール回転制御手段によって、前記ライン決定用回転リールの停止図柄に基づいて決定され、
　前記制御装置は、前記ライン決定用回転リールの回転を停止させるためのラインリール用ストップスイッチを備え、
　前記入賞図柄決定用回転リールの回転停止後、前記ラインリール用ストップスイッチの操作により、前記ライン決定用回転リールの回転を停止操作可能に形成すると共に、
　特定の入賞の入賞フラグが成立中、前記入賞図柄決定用回転リールの停止図柄が固定入賞ライン上では入賞が確定していない場合、追加入賞ラインによって入賞が確定するように前記ライン決定用回転リールの追加入賞ラインの図柄の引き込みが行われるように形成したことを特徴とする遊技機。
【請求項２】
　前記ライン決定用回転リールの周囲には、前記追加入賞ラインを視覚的に示す図柄を設けていることを特徴とする請求項１記載の遊技機。
【発明の詳細な説明】
【技術分野】
【０００１】
　この発明は、遊技機に関し、さらに詳しくは、入賞ライン決定のための専用の回転リールを設けて、入賞ラインを決定することができるスロットマシン、パチンコ遊技機又はその他の遊技機に関するものである。
【背景技術】
【０００２】
　従来、この種の遊技機、例えばスロットマシンは、抽選により入賞フラグが成立し、それに加えて、複数の回転リールが停止した状態で、正面側に表示される複数の図柄が、予め定めた所定の有効入賞ライン上に揃うことを条件として、入賞が確定し、当該入賞図柄に相当する払い出しメダルが遊技者に支払われている。そして、メダルの投入枚数の増加によって前記有効入賞ラインの数が増加するように設定されている。
　具体的には、例えば、三個の回転リールが停止した状態で、各回転リールの正面側には三個の図柄が表示されるように設定されている。そして、有効入賞ラインとしては、以下に示す五本のラインが使用されている。すなわち、上下三個の図柄のうち各回転リールの上端、中央及び下端の各図柄同士をそれぞれ横方向に結んだ上端ラインと、中央ラインと、下端ラインとが設定されている。さらに、回転リールが停止した状態で表示される縦三個、横三個の３×３の合計９個の図柄の対角線上を右上がり斜め方向に結ぶ右上がり斜めラインと、左上がり斜め方向に結ぶ左上がり斜めラインとの五つである。
【特許文献１】特開２００１−１２９１５９号公報
【特許文献２】特開２００１−３７９５０号公報
【発明の開示】
【発明が解決しようとする課題】
【０００３】
　しかし、上記した従来の遊技機は、上述したように入賞ラインが予め決定されたものに略固定されており、入賞ラインに関して変化が乏しく、遊技者の興味を引きつけるような遊技内容になっていないという第一の問題点があった。
　また、有効入賞ラインを、抽選手段の抽選結果によって、決定するように設定すると、遊技内容に変化は、生じるが、入賞ラインの決定に関して、遊技者が受動的であり、遊技者、自ら能動的に入賞ラインを決めるような感覚に乏しく、興味溢れるものではないといった第二の問題点があった。
　そこで、各請求項にそれぞれ記載された各発明は、上記した従来の技術の有する問題点に鑑みてなされたものであり、その目的とするところは、次の点にある。
【０００４】
　（請求項１）
　すなわち、請求項１記載の発明は、上記した従来の技術の有する第一及び第二の問題点に鑑みてなされたものであり、その目的とするところは、入賞ラインに関して、変化を付けて、遊技を興味溢れるものにすることができる遊技機を提供しようとするものである。
　さらに、本発明は、遊技者が希望する入賞ラインを限定した特定のものに絞り込むことができ、目押しの目標を、明確にすることができ、遊技者の遊技に対する集中力を高めることができて、遊技を興味溢れるものにすることができる遊技機を提供しようとするものである。
【０００５】
　さらに、本発明は、遊技者が、入賞図柄決定用回転リールの回転停止後、能動的に、自ら希望するような入賞ラインの図柄を、ラインリール用ストップスイッチの停止操作によって、選択している感覚を付与することができ、遊技を興味溢れるものにすることができる遊技機を提供しようとするものである。
　（請求項２）
　すなわち、請求項２記載の発明は、上記した請求項１記載の発明の目的に加え、次の点を目的とする。
　すなわち、請求項２記載の発明は、入賞ラインを示す図柄が表示されていることにより、視覚的且つ直接的に入賞ラインを判別することができる遊技機を提供しようとするものである。
【課題を解決するための手段】
【０００６】
　（特徴点）
　各請求項にそれぞれ記載された各発明は、上記した各目的を達成するためになされたものであり、各発明の特徴点を図面に示した発明の実施の形態を用いて、以下に説明する。
　なお、カッコ内の符号は、発明の実施の形態において用いた符号を示し、本発明の技術的範囲を限定するものではない。
　また、図面番号も、発明の実施の形態において用いた図番を示し、本発明の技術的範囲を限定するものでない。
　（請求項１）
　請求項１記載の発明は、次の点を特徴とする。
【０００７】
　すなわち、本発明に係る遊技機（具体的には、例えば、スロットマシン(10)）は、周囲に複数の図柄(61)を表示した複数の回転リール(40)と、前記回転リール(40)の回転及び停止を制御するための制御装置(20)とを備え、前記制御装置(20)は、予め定めた抽選確率に基づいて入賞か否かの入賞判定の抽選を行う入賞抽選手段(110)を備え、前記入賞抽選手段(110)による抽選結果が入賞である場合に入賞フラグが成立し、この入賞フラグ成立中に、複数の前記回転リール(40)が停止した状態で、正面側に表示される複数の図柄(61)が所定の方向の有効な入賞ライン上に揃うことを条件に遊技者に利益を付与するようにしている。
【０００８】
　そして、前記回転リール(40)は、周囲に複数の図柄(61)を表示して、有効入賞ライン上に入賞図柄(61)が揃うことによって、入賞確定を表示するための複数個の入賞図柄決定用回転リール(47)と、前記入賞ラインを決定するためのライン決定用回転リール(46)とを備えている。
　そして、前記制御装置(20)は、前記ライン決定用回転リール(46)の停止図柄(61)に基づいて前記入賞ラインを決定するためのライン決定リール回転制御手段(130)を備えている。
　そして、前記入賞ラインは、予め決定されている固定入賞ラインと、前記固定入賞ライン以外に新たに追加される一以上の追加入賞ラインとを備えている。
【０００９】
　そして、前記追加入賞ラインは、前記ライン決定リール回転制御手段(130)によって、前記ライン決定用回転リール(46)の停止図柄(61)に基づいて決定されている。
　そして、前記制御装置(20)は、前記ライン決定用回転リール(46)の回転を停止させるためのラインリール用ストップスイッチ(51)を備え、前記入賞図柄決定用回転リール(47)の回転停止後、前記ラインリール用ストップスイッチ(51)の操作により、前記ライン決定用回転リール(46)の回転を停止操作可能に形成すると共に、特定の入賞の入賞フラグが成立中、前記入賞図柄決定用回転リール(47)の停止図柄(61)が固定入賞ライン上では入賞が確定していない場合、追加入賞ラインによって入賞が確定するように前記ライン決定用回転リール(46)の追加入賞ラインの図柄(61)の引き込みが行われるように形成したことを特徴とする。
【００１０】
　また、ここで、「遊技機(10)」は、特に回転リール(40)を有するスロットマシン(10)に限定されるものではなく、回転リール(40)の回転状態を液晶表示させることができるようなパチンコ機や、その他の同様な遊技機等も含まれるものである。
　また、ここで、「入賞ライン」とは、予め定められた特定の入賞図柄が、当該入賞ライン上に揃った場合に、入賞が確定する可能性を有しているラインを意味するものである。また、「有効入賞ライン」とは、「入賞ライン」のうち特定の定められた条件、例えば投入メダルの枚数により、決定される条件を満たしており、予め定められた特定の入賞図柄が、当該有効入賞ライン上に揃った場合には、確実に入賞が確定するようなラインを意味するものである。
【００１１】
　また、ここで、「予め決定されている固定入賞ライン」とは、遊技毎に入賞ラインの位置が変化せずに、予め決定されているライン形状が遊技毎に変動しないものを意味するものである。そして、「新たに追加される一以上の追加入賞ライン」とは、固定入賞ラインとは異なり、ライン決定用回転リール(46)の停止図柄(201〜222)に基づいて決定されるものであって、遊技毎に入賞ラインの位置が変化し、ライン形状が遊技毎に変動するようなものを意味するものである。具体的には、例えば、図３の入賞ラインのうち、中央ライン(PP)、上端ライン(QQ)、下端ライン(RR)、右上がり斜めライン(SS)及び左上がり斜めライン(TT)が、予め決定されている固定入賞ライン(PP,QQ,RR,SS,TT)である。また、ライン決定用回転リール(46)の中央に停止した図柄によって決定され、新たに追加されるＶＶラインが、追加入賞ライン(VV)である。さらに、「一以上の追加入賞ライン」とあるので、新たに追加される「追加入賞ライン」の数は、一本に限定されるものではなく、同時に二本や、それ以上の本数であっても良いものである。
【００１２】
　また、ここで、「特定の入賞の入賞フラグが成立中、前記入賞図柄決定用回転リール(47)の停止図柄(61)が固定入賞ライン上では入賞が確定していない場合、追加入賞ラインによって入賞が確定するように前記ライン決定用回転リール(46)の追加入賞ラインの図柄(61)の引き込みが行われる」とあるのは、入賞抽選手段(110)の入賞図柄の抽選処理の結果、入賞図柄の入賞フラグ成立の有無を考慮して、ライン決定用回転リール(46)の回転をライン決定リール回転制御手段(130)が制御することにより行われるものである。具体的には、特定の入賞図柄（例えば、ＢＢ入賞の入賞図柄「７，７，７」）の入賞フラグが成立したが、固定入賞ライン上の入賞図柄決定用回転リール(47)の停止図柄では入賞が確定していない場合であって、左側回転リール(43)の上端図柄、中央回転リール(44)の上端図柄及び右側回転リール(45)の下端図柄に「７」の図柄が停止しているような状態のとき、ライン決定用回転リール(46)の図柄(201〜222)の中から、追加入賞ラインによって特定の入賞図柄（「７，７，７」）が確定するような特定図柄（例えば、図柄(202)）の引き込み設定が所定の範囲内で行われるものである。
【００１３】
　（作用）
　本発明によれば、追加入賞ラインは、ライン決定リール回転制御手段(130)によって、ライン決定用回転リール(46)の停止図柄に基づいて決定される。このため、追加入賞ラインを遊技毎に変えることができて、入賞ラインが予め設定したものに固定され常に変わらないようなものと比較して、遊技内容に変化をつけることができる。これにより、遊技に意外性を付与することができ、遊技を興味溢れるものにすることができる。
　また、本発明によれば、入賞ラインを、予め決定されている固定入賞ライン(例えば、図３に示す固定入賞ラインPP,QQ,RR,SS,TT）と、新たに追加される追加入賞ライン（例えば、図３に示す追加入賞ライン(VV)）とを備え、この追加入賞ライン(VV)は、ライン決定用回転リール(46)の停止図柄（例えば、図柄202）に基づいて決定されている。このため、遊技者は、自己が希望する入賞ラインを、限定した特定のものに絞り込むことができ、目押しの目標を、明確にすることができる。これにより、遊技者の遊技に対する集中力を高めることができ、遊技を興味溢れるものにすることができる。
【００１４】
　また、本発明によれば、制御装置(20)が、ライン決定用回転リール(46)の回転を停止させるためのラインリール用ストップスイッチ(51)を備えている。そして、入賞図柄決定用回転リール(47)の回転停止後、ラインリール用ストップスイッチ(51)の操作により、ライン決定用回転リール(46)の回転を停止操作可能にしている。このため、入賞図柄決定用回転リール(47)の回転が停止した後、遊技者が、停止図柄(201〜222）を観察して、どのような図柄を結んだ入賞ラインに決定されると、入賞ライン上に入賞図柄が揃うことになるかを、判断することができる。そして、かかる判断後、希望する形状の入賞ラインに決定するように、目押しを行いながら、ライン決定用回転リール(46)の停止操作を、ラインリール用ストップスイッチ(51)によって行うことができる。これにより、遊技者は、能動的に、自ら希望するような入賞ラインの図柄を、ラインリール用ストップスイッチ(51)の停止操作によって、選択している感覚を得ることができ、遊技を興味溢れるものにすることができる。
【００１５】
　（請求項２）
　請求項２記載の発明は、上記した請求項１記載の発明の特徴点に加え、次の点を特徴とする。
　すなわち、前記ライン決定用回転リール(46)の周囲には、前記追加入賞ラインを視覚的に示す図柄(61)を設けていることを特徴とする。
　なお、ここで、「追加入賞ラインを視覚的に示す図柄」とは、具体的には、例えば、図４乃至図７に示すような図柄を含むものであって、入賞ラインの全部または一部を色分けした線等により、目で見て視覚的に判断できるような図柄を意味するものである。
【００１６】
　（作用）
　本発明によれば、ライン決定用回転リール(46)の周囲には、追加入賞ラインを視覚的に示す図柄を設けている。このため、遊技者は、追加入賞ラインを視覚的に示した図柄を、目で視覚的且つ直接的に見ることができる。これにより、瞬間的に図柄内の追加入賞ラインを判別することができ、希望する追加入賞ラインを目的位置に停止させる、いわゆる目押し作業を容易にすることができ、遊技を興味溢れるものにすることができる。
【発明の効果】
【００１７】
　本発明は、以上のように構成されているので、以下に記載されるような効果を奏する。
　（請求項１）
　請求項１記載の発明によれば、次のような効果を奏する。
　すなわち、請求項１記載の発明によれば、入賞ラインに関して、変化を付けて、遊技を興味溢れるものにすることができる遊技機を提供することができる。
　さらに、本発明によれば、遊技者が希望する入賞ラインを限定した特定のものに絞り込むことができ、目押しの目標を、明確にすることができ、遊技者の遊技に対する集中力を高めることができて、遊技を興味溢れるものにすることができる遊技機を提供することができる。
【００１８】
　さらに、本発明によれば、遊技者が、入賞図柄決定用回転リールの回転停止後、能動的に、自ら希望するような入賞ラインの図柄を、ラインリール用ストップスイッチの停止操作によって、選択している感覚を付与することができ、遊技を興味溢れるものにすることができる遊技機を提供することができる。
　（請求項２）
　請求項２記載の発明によれば、上記した請求項１記載の発明の効果に加え、次のような効果を奏する。
　すなわち、請求項２記載の発明によれば、入賞ラインを示す図柄が表示されていることにより、視覚的且つ直接的に入賞ラインを判別することができる遊技機を提供することができる。
【発明を実施するための最良の形態】
【００１９】
　（図面の説明）
　図１乃至図１０は、本発明の実施の形態を示すものである。
　図１はスロットマシンの入力、制御及び出力のブロック図、図２はスロットマシンの外観正面図、図３はスロットマシンの回転リールの外観正面図、図４乃至図７はライン決定用回転リールのリールテープの展開図、図８乃至１０はスロットマシンの動作の概略のフローをそれぞれ示すものである。
　（スロットマシン10）
　図２中、10は、遊技機、具体的にはスロットマシンを示すものである。
【００２０】
　スロットマシン10は、図２に示すように、四角箱状の筐体11を有する。前記筐体11の中央部及び上部には、遊技者側に向かって臨む四角窓状の表示窓12が形成されている。そして、この中央部の表示窓12の中央には、三個の回転リール40の図柄61を見ることができる図柄表示窓13が形成されている。
　上記回転リール40は、図２の向かって左端側に位置する左側回転リール43と、この左側回転リール43の向かって右側に位置する中央回転リール44と、この中央回転リール44の向かって右側に位置する右側回転リール45と、この右側回転リール45の向かって右側に位置するライン決定用回転リール46とからなるものである。
【００２１】
　そして、スロットマシン10の前面側には、三個の回転リール40が停止した状態で、正面側に表示される図柄が、その所定の方向の線上に揃うことを条件として遊技者に利益を付与するような入賞ラインが設定されている。
　（入賞ライン）
　上記入賞ラインは、所定の入賞図柄が、当該ライン上に揃うことにより、入賞を確定させるためのものである。すなわち、入賞抽選手段110の抽選により入賞フラグが成立し、それに加えて、回転リール40が停止した状態で、正面側に表示される一個乃至三個の図柄61が、有効な入賞ライン上に揃うことを条件にメダルが払い出されるものである。なお、入賞フラグは、スロットマシン10の内部で行われる抽選（いわゆる内部抽選）によって成立するものであるため、内部フラグとも呼ばれるものである。
【００２２】
　上記入賞ラインは、ライン決定用回転リール46の停止図柄に基づいて決定されるものである。具体的には、入賞ラインは、以下に示す二つの種類に分類される。
　（１）固定入賞ライン
　（２）追加入賞ライン
　なお、入賞ラインは、上記分類に限定されるものではない。具体的には、例えば、固定入賞ラインを設けずに、入賞ラインの全てを、追加入賞ラインPP,QQ,RR,SS,TT,VVとしても良いものである。また、固定入賞ラインPP,QQ,RR,SS,TT及び追加入賞ラインVVのいずれも、これらのラインに限定されるものではなく、他のラインの組合せでも良いものである。
【００２３】
　（固定入賞ラインPP,QQ,RR,SS,TT）
　上記固定入賞ラインPP,QQ,RR,SS,TTは、予め決定されている入賞ラインであって、スロットマシン10の前面側に、横方向に三本、左右の対角線上の斜め方向に二本の合計五本、形成されている。
　具体的には、例えば、図３に示すように、三個の回転リール40が停止した状態で、各回転リール40の正面側には三個の図柄61が表示されるように設定されている。そして、固定入賞ラインPP,QQ,RR,SS,TTとしては、図３に点線で示されるような五本のラインが設定されている。すなわち、上下三個の図柄61のうち、右側回転リール45、中央回転リール44及び左側回転リール43の中央の図柄61同士を横方向に結ぶことにより、中央ラインPPが形成されている。そして、上下三個の図柄61のうち、右側回転リール45、中央回転リール44及び左側回転リール43の下端の図柄61同士を横方向に結ぶことにより、下端ラインRRが形成されている。そして、上下三個の図柄61のうち、右側回転リール45、中央回転リール44及び左側回転リール43の上端の図柄61同士を横方向に結ぶことにより、上端ラインQQが形成されている。そして、回転リール40が停止した状態で表示される縦三個、横三個の３×３の合計９個の図柄61の対角線上を右上がり斜め方向に結ぶことにより、右上がり斜めラインSSが形成されている。この右上がり斜めラインSSは、具体的には、右側回転リール45の上端の図柄61と、中央回転リール44の中央の図柄61と、左側回転リール43の下端の図柄61とを結ぶ位置に設定されているものである。そして、回転リール40が停止した状態で表示される縦三個、横三個の３×３の合計９個の図柄61の対角線上を左上がり斜め方向に結ぶことにより、左上がり斜めラインTTが形成されている。この左上がり斜めラインTTは、具体的には、右側回転リール45の下端の図柄61と、中央回転リール44の中央の図柄61と、左側回転リール43の上端の図柄61とを結ぶ位置に設定されているものである。
【００２４】
　そして、下端ラインRRは、右上がり斜めラインSSの下端の図柄61と、左上がり斜めラインTTの下端の図柄61とが結ばれているものである。また、上端ラインQQは、右上がり斜めラインSSの上端の図柄61と、左上がり斜めラインTTの上端の図柄61とが結ばれているものである。
　そして、通常遊技においては、メダルを投入した枚数によって、メダル払い出しとなる有効な固定入賞ラインの本数が変わるように設定されている。すなわち、メダルを一枚投入した一枚掛けの場合、有効な固定入賞ラインは一本となり、メダルを二枚投入した二枚掛けの場合、有効な固定入賞ラインは三本となり、メダルを三枚投入した三枚掛けの場合、有効な固定入賞ラインは五本となるものである。具体的には、一枚掛けでは、中央ラインPPの一本のみが有効な固定入賞ラインとなっている。そして、二枚掛けでは、中央ラインPPと、下端ラインRRと、上端ラインQQとの三本のみが有効な固定入賞ラインとなっている。そして、三枚掛けでは、中央ラインPPと、下端ラインRRと、上端ラインQQと、右上がり斜めラインSSと、左上がり斜めラインTTとの合計五本が有効な固定入賞ラインとなっている。
【００２５】
　なお、固定入賞ラインは、上述した五本に限定されるものではなく、他の予め設定した入賞ラインでも良いものであり、また、本数も、五本に限定されるものではなく、他の本数でも良いものである。
　（追加入賞ラインVV）
　上記追加入賞ラインVVは、固定入賞ラインPP,QQ,RR,SS,TTとは異なり、新たに追加される入賞ラインである。ライン決定用回転リール46の周囲には、追加入賞ラインを視覚的に示す図柄が設けてあり、上記追加入賞ラインVVは、ライン決定用回転リール46の停止図柄に基づいて決定されるようにしているものである。
【００２６】
　具体的には、追加入賞ラインVVは、図３の一点鎖線からなる折れ線状のＶＶラインであって、ライン決定用回転リール46の正面側中央に停止した図柄によって決定されている。そして、図３に示すように、ライン決定用回転リール46の中央の停止図柄に基づく追加入賞ラインVVは、左側回転リール43の上端の図柄と、中央回転リール44の上端の図柄と、右側回転リール45の下端の図柄とを結ぶものである。
　なお、この追加入賞ラインVVは、図３には、一本の場合のみを記載しているが、特に追加入賞ラインの数は一本に限定されるものではなく、同時に二本や、それ以上の本数であっても良いものである。
【００２７】
　スロットマシン10の内部には、図示していないが、スロットマシン10の全体の動作を制御するための制御装置20（図１参照）が内蔵されている。
　（制御装置20）
上記制御装置20は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）及び（２）の装置を有するものである。
　（１）遊技制御装置21
　（２）演出制御装置22
　図１に示すように、スタートスイッチ30及びストップスイッチ50の操作により、回転リール40の回転及び停止を制御するための遊技制御装置21と、ランプやスピーカ等の表示装置66を制御するための演出制御装置22とが内蔵されている。また、ＣＰＵは、一個に限定されず、二個以上のＣＰＵで制御するようにしても良い。
【００２８】
　また、ＣＰＵ、ＲＯＭ、ＲＡＭ及びＩ／Ｏ等は一体化されてワンチップを構成しても良いものである。
（遊技制御装置21）
　上記遊技制御装置21は、スタートスイッチ30及びストップスイッチ50の操作により、回転リール40の回転及び停止を制御するためのものである。そして、この遊技制御装置21は、次の（１）乃至（４）の手段として機能する。
　（１）通常遊技制御手段70
　（２）特別遊技制御手段80
　（３）入賞抽選手段110
　（４）回転リール制御手段150
　なお、前記通常遊技制御手段70は、通常遊技を行わせるために通常遊技に関する制御を行うものであり、前記特別遊技制御手段80は、特別遊技を行わせるために特別遊技に関する制御を行うものである。
【００２９】
　また、遊技制御装置22としては、上記した（１）〜（４）の手段に限定されるものではなく、他の手段を含んでいても良い。
　（演出制御装置22）
　上記演出制御装置22は、ランプやスピーカ等の表示装置66を制御するためのものである。
　（入力段）
　上記制御装置20の入力段には、図１に示すように、次のパーツが接続されている。
　（１）投入スイッチ15
　（２）ベットスイッチ16
　（３）精算スイッチ17
　（４）スタートスイッチ30
　（５）ストップスイッチ50
　（６）ラインリール用ストップスイッチ51
　なお、入力段としては、上記した（１）乃至（６）のパーツに限定されるものではない。
【００３０】
　（出力段）
　上記制御装置20の出力段には、図１に示すように、次のパーツが接続されている。
　（１）リールユニット60
　（２）ホッパーユニット65
　（３）表示装置66（ランプ及びスピーカ）
　なお、出力段としては、上記した（１）乃至（３）のパーツに限定されるものではない。
　（投入スイッチ15）
　上記投入スイッチ15は、図２に示すように、回転リール40の斜め下方に位置するスイッチであって、投入された遊技メダルを検知するためのものである。
【００３１】
　（ベットスイッチ16）
　上記ベットスイッチ16は、図２に示すように、回転リール40の下方に位置するスイッチであって、貯留メダル数を減じてメダル投入に代えるためのものである。
　（精算スイッチ17）
　上記精算スイッチ17は、図２に示すように、回転リールの斜め下方に位置するスイッチであって、貯留した投入メダルを払い出すためのものである。
　（スタートスイッチ30）
　上記スタートスイッチ30は、図２に示すように、回転リール40の斜め下方に位置するレバーであって、遊技メダルの投入若しくはベットスイッチ16の投入を条件に、または、「再遊技（Replay）」時には前遊技から所定時間経過を条件に、リールユニット60の駆動を開始させて、入賞図柄決定用回転リール47及びライン決定用回転リール46の回転を開始させるためのものである。
【００３２】
　なお、ここで、「再遊技（Replay）」とは、入賞抽選手段110の抽選により、「再遊技（Replay）」のフラグが成立し、「再遊技（Replay）」の図柄が有効入賞ライン上に揃うことにより、次の遊技において、遊技メダルを新たに投入することなく、再度、遊技を行うことができるものである。
　なお、ここで、本実施の形態では、スタートスイッチ30の操作により、入賞図柄決定用回転リール47及びライン決定用回転リール46の四個の回転リール全てが同時に回転を開始するように設定しているが、特にこれに限定されるものではない。具体的には、例えば、スタートスイッチ30の操作により、三個の入賞図柄決定用回転リール47のみの回転を開始させるようにしても良いものである。そして、入賞図柄決定用回転リール47のそれぞれの回転停止操作により、三個の入賞図柄決定用回転リール47の回転を停止させた後、その停止図柄の組合せによっては、入賞が確定する可能性があるときに、すなわち、いずれかの入賞図柄が各回転リールの停止図柄として正面側に含まれているようなときに、ライン決定用回転リール46の回転を自動的に開始させるように設定しても良いものである。これにより、既に予め設定してある固定入賞ラインPP,QQ,RR,SS,TTの停止図柄の組合せでは、入賞が確定しなかったような場合であっても、特定の入賞ラインを選択することにより、入賞確定への期待感を抱かせることができて、遊技を興味溢れるものにすることができ、新たな遊技性を付与することができる。
【００３３】
　（ストップスイッチ50）
　上記ストップスイッチ50は、リールユニット60の入賞図柄決定用回転リール47の回転駆動を停止させるためのものである。具体的には、ストップスイッチ50は、図２に示すように、三個の入賞図柄決定用回転リール47に対応した三個のスイッチから構成され、各入賞図柄決定用回転リール47の下方に一個ずつ配置されているものである。入賞図柄決定用回転リール47に対応したストップスイッチ50の操作により、当該対応した入賞図柄決定用回転リール47が回転を停止するように設定されているものである。
　（ラインリール用ストップスイッチ51）
　上記ラインリール用ストップスイッチ51は、リールユニット60のライン決定用回転リール46の回転駆動を停止させるためのものである。具体的には、ラインリール用ストップスイッチ51は、図２に示すように、ライン決定用回転リール46に対応する一個のスイッチから構成され、ライン決定用回転リール46の下方に一個、配置されているものである。そして、ラインリール用ストップスイッチ51の操作により、ライン決定用回転リール46が回転を停止するように設定されている。
【００３４】
　なお、本実施の形態では、ラインリール用ストップスイッチ51の操作直後にライン決定用回転リール46の回転停止処理が行われるように設定されているが、特にこれに限定されるものではなく、ラインリール用ストップスイッチ51の操作後、直ぐにライン決定用回転リール46の回転停止処理が行われずに、ライン決定用回転リール46が種々の回転変動した後に回転が停止するようにしても良いものである。具体的には、例えば、ラインリール用ストップスイッチ51の操作後、一旦回転が仮停止するが、再度、回転を再開し、その後、回転停止するようなものや、回転停止するまでに回転の停止及び再開を複数回、繰り替えすようなものや、回転停止するまでに回転速度が変動するものや、或いは、回転を一旦停止した後、逆方向に回転する等、回転停止処理を極めて意外性に富むものにしても良いものである。
【００３５】
　また、本実施の形態では、図２に示すように、ライン決定用回転リール46の停止操作のために、ラインリール用ストップスイッチ51を設けているが、特にこれに限定されるものではなく、ラインリール用ストップスイッチ51を設けないようにしても良いものである。具体的には、入賞抽選手段110による入賞図柄の抽選結果及び入賞ライン抽選手段120による追加入賞ラインの抽選結果を考慮した蹴飛ばし設定や、引き込み設定により、ライン決定用回転リール46を自動的に停止させるようなものである。
　（リールユニット60）
　上記リールユニット60は、特に図示しないが枠体に固定或いは支持された四個のモータと、各々のモータの出力軸に固定された四個の回転リール40とから構成されている。そして、各回転リール40は、合成樹脂からなる回転ドラムと、この回転ドラムの周囲に貼付されるテープ状のリールテープ42とを備えている。このリールテープ42の外周面には、複数個（例えば２１個）の図柄61が表示されている。
【００３６】
　上記回転リール40は、以下のように二つに分類される。
　（１）入賞図柄決定用回転リール47
　（２）ライン決定用回転リール46
　（入賞図柄決定用回転リール47）
　上記入賞図柄決定用回転リール47は、周囲に複数の図柄を表示して、有効入賞ラインPP,QQ,RR,SS,TT,VV上に入賞図柄が揃うことによって、入賞確定を表示するためのものである。具体的には、入賞図柄決定用回転リール47は、図２及び図３に示すように、左側回転リール43、中央回転リール44及び右側回転リール45の三個からなるものである。
【００３７】
　（ライン決定用回転リール46）
　上記ライン決定用回転リール46は、図２及び図３に示すように、入賞図柄決定用回転リール47の向かって右側に位置して、追加入賞ラインを決定するためのものである。
　図４乃至図６に、ライン決定用回転リール46のリールテープ42の展開図の一例を示す。このライン決定用回転リール46のリールテープ42の表面には、固定入賞ラインPP,QQ,RR,SS,TT以外に新たに追加される追加入賞ラインを視覚的に示す図柄201〜222が全部で２２個、設けられている。そして、この図柄201〜222のうち、ライン決定用回転リール46の正面側三個の図柄のうち中央に停止した図柄に視覚的に示されるラインが、追加入賞ラインとして決定されるように設定されている。
【００３８】
　なお、図４乃至図６に示される追加入賞ラインの図柄201〜222は、入賞ラインの全ての組合せ２７個（３×３×３）から固定入賞ラインPP,QQ,RR,SS,TTの５個を除いた残りの２２個の全てを記載しているものである。これにより、入賞ラインとして可能性のある全ての組合せを表現することができるものである。
　また、ライン決定用回転リール46のリールテープ42に設ける図柄は、上述したものに限定されるものではなく、図柄の数や、入賞ラインの形状等の図柄の内容を、上述したものと異なるものにしても良いものである。具体的には、例えば、ライン決定用回転リール46の図柄の数は、２２個に設定しているが、この個数よりも少なくても良く、また、この個数を越えるようなものでも良いものである。さらに、一つの図柄に記入する追加入賞ラインの数も、一本に限定されるものではなく、図７の図柄230〜233に示すように、一つの図柄に二本の追加入賞ラインを視覚的に示しても良いものである。さらに、図７の図柄240及び図柄241に示すように、一つの図柄に三本の追加入賞ラインを視覚的に示しても良いものである。さらに、特に図示しないが、一つの図柄に三本以上の追加入賞ラインを視覚的に示すようにしても良いものである。
【００３９】
　さらに、また、ライン決定用回転リール46のリールテープ42の図柄には、追加入賞ラインのみを記載しているが、特にこれに限定されることはなく、追加入賞ライン及び固定入賞ラインの両方を含む全ての入賞ラインを、異なる色のライン等を使用して視覚的に示すようにしても良いものである。すなわち、入賞ラインの全ては、ライン決定用回転リール46の停止図柄に基づいて決定されるようなものである。このような場合には、全ての入賞ラインが、ライン決定用回転リール46の停止図柄に視覚的に示されることとなり、遊技者は、全ての入賞ラインを視覚的に一度に把握することができ、入賞ラインの全部を瞬間的且つ容易に把握することが可能となって、遊技中の判断を確実に行うことができ、遊技を興味溢れるものにすることができるものである。
【００４０】
　さらに、また、ライン決定用回転リール46のリールテープ42に示される図柄には、追加入賞ラインが一本もない、いわゆる外れ図柄を設けても良いものである。これにより、遊技内容を変化させ、遊技を興味溢れるものにすることができる。
　さらに、また、追加入賞ラインとして採用される図柄は、ライン決定用回転リール46の正面側三個の図柄のうち中央に停止した図柄に限定されるものではなく、ライン決定用回転リール46の正面側の上端の図柄や、下端の図柄を採用するようにしても良いものであり、また、これらの正面に配置される上端、中央及び下端の三個のうち、いずれか二個の図柄の組合せ、または、上端、中央及び下端の三個、全ての図柄に示されるラインを追加入賞ラインとして採用するようにしても良いものである。
【００４１】
　（ホッパーユニット65）
　上記ホッパーユニット65は、図示しないが、遊技の結果に基づいて、遊技者にメダルを払い出すためのものである。
　（表示装置66）
　上記表示装置66は、スピーカや表示ランプ等であって、遊技者に入賞等を報知させるためのものである。具体的には、演出制御装置22の制御により、入賞時にスピーカから入賞音を発生させ、表示ランプを点灯又は点滅させることにより、遊技者に入賞等を報知させるためのものである。
【００４２】
　（通常遊技制御手段70）
　上記通常遊技制御手段70は、通常遊技を行わせるためのものである。
　すなわち、メダルの投入若しくはベットスイッチ16の投入を条件に、または、「再遊技（Replay）」時には前遊技から所定時間経過を条件に、スタートスイッチ30を操作すると、リールユニット60が駆動され、全回転リール40が回転を開始する。
　その後、ストップスイッチ50の一個を操作すると、当該対応する入賞図柄決定用回転リール47の回転が停止する。
　そして、ストップスイッチ50を三個全て操作し終わると、三個の入賞図柄決定用回転リール47の回転が全て停止する。その後、ラインリール用ストップスイッチ51を操作することにより、ライン決定用回転リール46の回転が停止する。これにより、固定入賞ライン及び追加入賞ラインからなる入賞ラインが決定される。そして、表示窓12の有効入賞ライン上に、予め設定された図柄61が停止している場合には、ホッパーユニット65を介して所定枚数のメダルが払い出される。なお、メダルを払い出す代わりに、クレジットしても良い。
【００４３】
　入賞には、遊技メダルの払い出しを伴い、遊技者に利益を付与する小役入賞と、この小役入賞よりもさらに大きな利益を遊技者に付与する特別入賞と、遊技メダルの払い出しは無いが、遊技メダルを新たに投入することなく再度の遊技を行うことができる「再遊技（Replay）」とを備えている。そして、その抽選結果がいずれかの入賞となった場合、その入賞に対応した入賞フラグが成立する。そして、抽選結果が特別入賞である場合に、特別入賞フラグが成立し、この特別入賞フラグ成立中に、リールユニット60の回転リール40の停止図柄61の組み合わせが、予め定められた所定の特別入賞図柄61（例えば、有効入賞ライン上に「７」が三個揃うもの）と一致したことを条件に入賞が確定し、遊技者に有利な特別遊技を行わせるように形成されている。そして、抽選により特別入賞フラグが成立したが、回転リール40の停止図柄61の組み合わせが特別入賞図柄61と一致していない場合、それ以後の遊技に特別入賞フラグ成立の権利が持ち越されるように設定されている。なお、小役の入賞フラグは、入賞フラグが成立した遊技で入賞を確定させられない場合、入賞フラグ成立の権利の次の遊技への持ち越しはない。
【００４４】
　また、いずれかの入賞フラグが成立中に、対応する入賞図柄61を有効入賞ライン上に揃えることができるか否かは、回転リール40の回転速度が一定の場合、ストップスイッチ50のタイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄61、例えば停止図柄から連続する４個の引き込み可能図柄61の中に、対応する入賞図柄61が含まれているような場合には、停止するまでの時間を遅らせて、回転リール40は有効入賞ライン上にその入賞図柄61を引き込んで停止する。一方、かかる４個の引き込み可能図柄61の中に、対応する入賞図柄61が含まれていないような場合には、有効入賞ライン上にその入賞図柄61を引き込んで停止することができない。
【００４５】
　（特別遊技制御手段80）
　上記特別遊技制御手段80は、抽選手段の抽選結果に基づいて、遊技者に有利な特別遊技を行わせるためのものである。
　上記特別遊技としては、大別すると、次のゲームがある。
　（１）特定導入遊技（ＢＢゲーム）
　（２）特定遊技（ＲＢゲーム）
　（３）特定入賞遊技（ＪＡＣゲーム）
　なお、特定遊技、例えばＲＢゲームは、特定導入遊技、例えばＢＢゲーム中に行われる場合と、ＢＢゲーム中で無い場合にも単独で行われるものである。また、上記特定入賞遊技、いわゆるＪＡＣゲームは、ＲＢゲーム中に行われるものである。また、特別遊技としては、上記した（１）乃至（３）の遊技に限定されるものではない。
【００４６】
　通常遊技において、図示しないが、例えば「７」等の図柄61が有効入賞ライン上に三個揃うと、ホッパーユニット65を介して、例えば１５枚のメダルが払い出される。このとき、ＢＢゲームが開始される。
　具体的には、特別遊技制御手段80は、図１に示すように、大別すると、次の手段を備える。
　（１）特定導入遊技制御手段91（ＢＢゲーム制御手段90）
　（２）特定遊技制御手段101（ＲＢゲーム制御手段100）
　（特定導入遊技制御手段91）
　上記特定導入遊技制御手段91は、ＢＢゲームを制御するためのものである。
具体的には、ＢＢゲームに移行すると、通常遊技と同様に最大３枚のメダルの投入によって開始され、３つの回転リールの回転を各々停止させた際に、有効入賞ライン上に入賞図柄が揃っているか否かによって、メダルの払い出しが行われるものである。
【００４７】
　したがって、ＢＢゲーム中では、通常遊技と同様に小役を含めた抽選が毎回行われるものである。ただ、このＢＢゲーム中にＲＢゲームに移行するための特定入賞図柄が有効入賞ライン上に揃った場合には、その後ＲＢゲームに移行するものである。
　なお、通常、ＢＢゲーム中はＲＢゲームへの移行が、例えば最大３回行われることになっているために、１回目のＲＢゲームが終了した後は、また前述したような通常遊技と同様な抽選及び制御が行われるものである。
　そして、ＢＢゲームでは、ＢＢゲーム中のＲＢゲームが所定の最大回数、例えば３回か、或いはＢＢゲーム中の通常遊技が所定の最大回数、例えば最大３０回の終了により、ＢＢゲームは終了するものである。
【００４８】
　（特定遊技制御手段101）
　上記特定遊技制御手段101は、ＲＢゲームを制御するためのものである。
　具体的には、ＲＢゲームに移行すると、メダルが１枚投入となり、回転リール40の所定の図柄61が表示窓12のセンターライン上に揃った場合に入賞確定となる特定入賞遊技が行われるものである。そして、ＲＢゲームでは、入賞するか否かの特定入賞遊技が最大１２回行えるものであり、そのうち、最大８回の入賞確定が可能である。すなわち、最大８回の入賞が確定するか、或いは最大１２回の特定入賞遊技の終了により、ＲＢゲームは終了するものである。
【００４９】
　（入賞抽選手段110）
　上記入賞抽選手段110は、予め定めた抽選確率に基づいて入賞か否かの入賞判定の抽選を行うものである。そして、入賞抽選手段110による抽選結果が入賞である場合に入賞フラグが成立し、この入賞フラグ成立中に、回転リール40の停止図柄の組み合わせが予め定められた入賞図柄と一致したことを条件に入賞が確定し、遊技者にメダルの払い出しや、特別遊技等の利益が付与されるように設定されている。
　上記入賞抽選手段110は、図１に示すように、大別すると、次の手段を備える。
　（１）乱数発生手段111
　（２）乱数抽出手段112
　（３）入賞判定テーブル113
　（４）判定手段114
　（５）入賞ライン抽選手段120
　なお、入賞抽選手段110としては、上記した（１）乃至（５）に限定されるものではない。
【００５０】
　（乱数発生手段111）
　上記乱数発生手段111は、入賞抽選用の乱数を所定の領域内（例えば十進数で０〜６５５３５）で発生させるものである。
　（乱数抽出手段112）
　上記乱数抽出手段112は、乱数発生手段111が発生する乱数を、所定の条件（例えば、スタートスイッチ30の操作）で抽出するものである。なお、この抽出した乱数を抽出乱数データとする。
　（入賞判定テーブル113）
　上記入賞判定テーブル113は、乱数発生手段111がとる乱数の全領域中、各入賞項目の入賞領域を有するものである。
【００５１】
　（判定手段114）
　上記判定手段114は、乱数抽出手段112が抽出した抽出乱数データと、入賞判定テーブル113の抽選確率データを基に、乱数発生手段111がとる乱数の全領域中の各入賞項目の入賞領域からなる入賞判定領域データとを照合し、当該抽出乱数データが属する入賞領域に対応する入賞を決定するものである。
　（入賞ライン抽選手段120）
　上記入賞ライン抽選手段120は、入賞図柄決定用回転リール47の停止図柄を考慮して、予め定めた抽選確率に基づいて、追加入賞ラインを示した図柄201〜222のうち、新たに追加する追加入賞ラインを決定するための抽選を行うものである。そして、入賞ライン抽選手段120による抽選結果、追加入賞ラインを示す図柄201〜222のうちから特定の抽選図柄（例えば図柄202）の入賞フラグが成立する。この図柄202の入賞フラグ成立中、当該図柄202が所定の範囲に位置するような状態のときにラインリール用ストップスイッチ51の停止操作を行うことにより、当該図柄202を引き込んで停止する。これにより、当該入賞図柄202が視覚的に示すＶＶライン（図３）が追加入賞ラインVVとして、確定するように設定されている。
【００５２】
　なお、この入賞ライン抽選手段120は、入賞図柄の抽選のための乱数発生手段111、乱数抽出手段112、入賞判定テーブル113及び判定手段114を、入賞抽選と共通して使用しているが、特にこれに限定されるものではなく、これらとは全く別個独立の乱数発生手段111等を有して抽選を行うようにしても良いものである。
　また、入賞ライン抽選手段120は、新たに追加する追加入賞ラインを選択するための抽選を行っているが、特にこれに限定されることはない。具体的には、例えば、追加入賞ラインの選択抽選の前に、固定入賞ラインPP,QQ,RR,SS,TTに加えて新たに追加入賞ラインを加えるか否かの抽選を行うようにしても良いものである。
【００５３】
　さらに、入賞ライン抽選手段120は、追加入賞ラインのみの抽選ではなく、固定入賞ラインと追加入賞ラインとの両方を含む全ての入賞ラインの選択を、当該抽選によって行うように設定しても良いものである。
　なお、本実施の形態は、上述したように入賞ライン抽選手段120を設けて、追加入賞ラインを抽選により、決定しているが、特にこれに限定されるものではなく、入賞ライン抽選手段120を設けず、追加入賞ラインの抽選処理を行わないようにしても良いものである。かかる場合、入賞抽選手段110の入賞図柄の抽選処理の結果、特定の入賞図柄の入賞フラグ成立の有無を考慮して、ライン決定用回転リール46の回転をライン決定リール回転制御手段130が制御するものである。具体的には、特定の入賞図柄（例えば、ＢＢ入賞の「７，７，７」）の入賞フラグが成立したが、固定入賞ライン上の入賞図柄決定用回転リール47の停止図柄では入賞が確定していない場合であって、左側回転リール43の上端図柄、中央回転リール44の上端図柄及び右側回転リール45の下端図柄に「７」の図柄が停止しているような状態のとき、ライン決定用回転リール46の図柄201〜222の中から、追加入賞ラインによって特定の入賞図柄（「７，７，７」）が確定するような特定図柄（例えば、図柄202）の引き込み設定が所定の範囲内で行われるものである。また、上述した停止図柄の状態で、入賞図柄（「７，７，７」）の入賞フラグが成立していないような場合には、入賞図柄決定用回転リール47の停止図柄を考慮して、ライン決定用回転リール46の回転停止処理において、追加入賞ライン上に入賞図柄（「７，７，７」）が並ばないように特定図柄（例えば、図柄202）の蹴飛ばし設定が行われるものである。
【００５４】
　（回転リール制御手段150）
　上記回転リール制御手段150は、回転リール40の回転を制御するためのものである。具体的には、以下の二つを有する。
　（１）ライン決定リール回転制御手段130
　（２）入賞決定リール回転制御手段140
　（ライン決定リール回転制御手段130）
　上記ライン決定リール回転制御手段130は、ライン決定用回転リール46の停止図柄に基づいて入賞ラインを決定するためにライン決定用回転リール46の回転を制御するものである。
【００５５】
　具体的には、入賞ライン抽選手段120の抽選結果、ライン決定用回転リール46のリールテープ42上の図柄201〜222のうちから特定の抽選図柄（例えば、図柄202）の入賞フラグが成立し、この入賞フラグ成立中、当該抽選図柄（例えば、図柄202）が所定の引き込み可能な範囲にあるときに、遊技者がラインリール用ストップスイッチ51の停止操作をすると、ライン決定リール回転制御手段130が、ライン決定用回転リール46の回転を制御して当該抽選図柄（例えば、図柄202）を引き込んで停止させるように設定されている。
　なお、入賞抽選手段110の入賞図柄の抽選結果、入賞フラグ（例えば、ＢＢ入賞の「７，７，７」の入賞フラグ）が成立していない場合には、追加入賞ラインVVの入賞ラインへの追加によっても、入賞が確定しないように、ライン決定リール回転制御手段130が、ライン決定用回転リール46の回転を制御して、入賞図柄（例えば、図柄202）が揃わないように蹴飛ばし処理を行うように設定されている。
【００５６】
　（入賞決定リール回転制御手段140）
　上記入賞決定リール回転制御手段140は、入賞図柄決定用回転リール47の停止図柄に基づいて入賞を確定させるために入賞図柄決定用回転リール47の回転を制御するものである。
　具体的には、入賞抽選手段110の入賞図柄の抽選結果、入賞である場合に入賞フラグが成立し、この入賞フラグ成立中、既に決定されている固定入賞ラインとを考慮した状態で、当該入賞図柄が所定の引き込み可能な範囲にあるときに、遊技者が対応するストップスイッチ50の停止をすると、入賞決定リール回転制御手段140が、入賞図柄決定用回転リール47の回転を制御して当該入賞図柄を引き込んで停止させるように設定されている。
【００５７】
　（スロットマシン10の動作）
　次に、上記構成を備えたスロットマシンの動作の概略について、図８乃至図１０に示したフローを用いて説明する。
　先ず、図８に示すステップ１００において、入賞ラインのうち、予め決定されている固定入賞ラインが設定される。具体的には、例えば、投入メダル枚数が三枚のとき、図３に示す中央ラインPP、上端ラインQQ、下端ラインRR、右上がり斜めラインSS及び左上がり斜めラインTTが、固定入賞ラインPP,QQ,RR,SS,TTとして設定される。そして、特に図示していないが、ランプ等の点灯により、かかるラインが固定入賞ラインPP,QQ,RR,SS,TTであることが遊技者に報知される。そして、次のステップ１０１に進む。
【００５８】
　ステップ１０１において、スタートスイッチ30が操作されることにより、スタートスイッチ30がＯＮとなる。そして、次のステップ１０２に進む。
　ステップ１０２において、入賞抽選手段110により抽選処理が行われる。具体的には、通常の入賞図柄の抽選処理と、入賞ライン抽選手段120による追加入賞ラインを決定するための入賞ラインの抽選処理とが行われる。そして、次のステップ１０３に進む。
　ステップ１０３において、回転リール40の回転が開始する。そして、次のステップ１０４に進む。
　ステップ１０４において、ストップスイッチ50が操作されることにより、ストップスイッチ50がＯＮとなる。具体的には、ストップスイッチ50及びラインリール用ストップスイッチ51が、遊技者によって、操作されることにより、各スイッチがＯＮとなるものである。そして、次のステップ１０５に進む。
【００５９】
　ステップ１０５において、回転リール40の回転停止処理が行われる。具体的には、ストップスイッチ50の停止操作により、当該ストップスイッチ50に対応する入賞図柄決定用回転リール47の回転停止処理が行われ、また、ラインリール用ストップスイッチ51の停止操作により、ライン決定用回転リール46の回転停止処理が行われる。そして、次のステップ１０６に進む。
　ステップ１０６において、四個の回転リール40に対応するストップスイッチ50の操作が行われたか否かが判定される。そして、四個の回転リール40に対応するストップスイッチ50の操作が行われたと判定された場合、次のステップ１０７に進む。
【００６０】
　ステップ１０７において、ライン決定用回転リール46の中央の停止図柄により、追加入賞ラインが決定される。具体的には、例えば、図３及び図４に示すように、ライン決定用回転リール46の中央に図柄202が停止した場合、かかる図柄202が視覚的に示すＶＶライン（図３）、すなわち左側回転リール43の上端の図柄と、中央回転リール44の上端の図柄と、右側回転リール45の下端の図柄とを結ぶＶＶラインが、追加入賞ラインVVとして決定されるものである。そして、特に図示していないが、かかるＶＶラインが追加入賞ラインVVであることが、ランプ等の点灯により遊技者に報知される。そして、次のステップ１０８に進む。
【００６１】
　ステップ１０８において、予め決定されている固定入賞ラインと、追加入賞ラインとにより、入賞ラインが確定する。具体的には、例えば、上述した場合には、固定入賞ラインPP,QQ,RR,SS,TTと、追加入賞ラインVVとにより、入賞ラインPP,QQ,RR,SS,TT,VVが、有効入賞ラインとして確定する。そして、次のステップ１０９に進む。
　ステップ１０９において、入賞フラグ成立中に当該入賞フラグに対応する入賞図柄が、有効入賞ライン上に揃ったか否か、すなわち、入賞が確定したか否かが判定される。上述した場合では、有効入賞ラインPP,QQ,RR,SS,TT,VV上に当該入賞図柄が揃っているか否かが判定されるものである。そして、入賞が確定したと判定された場合、次のステップ１１０に進む。
【００６２】
　ステップ１１０において、入賞図柄に相当するメダルが払い出される。そして、遊技が終了する。
　前記ステップ１０６において、四個の回転リール40に対応するストップスイッチ50の操作が行われていないと判定された場合、ステップ１０４に戻る。
　前記ステップ１０９において、入賞が確定していないと判定された場合、ステップ１１０を飛び越して、遊技が終了する。
　上述したステップ１０２の入賞抽選処理及び入賞ラインの抽選処理について、図９のフローを用いて説明する。
【００６３】
　ステップ２００において、入賞抽選手段110の乱数発生手段111により発生された乱数の中から乱数抽出手段112により乱数が抽出される。そして、次のステップ２０１に進む。
　ステップ２０１において、抽出された乱数が乱数抽出手段112の内部に記憶される。そして、次のステップ２０２に進む。
　ステップ２０２において、判定手段114により、抽出された乱数と、入賞判定テーブル113の入賞判定領域データとの比較が行われる。そして、次のステップ２０３に進む。
　ステップ２０３において、判定手段114により、抽出された乱数が、入賞判定テーブル113のどの入賞領域に含まれるか決定され、抽選処理の評価が決定される。そして、次のステップ２０４に進む。
【００６４】
　ステップ２０４において、所定の図柄の蹴飛ばしと、所定図柄の引き込みとが設定される。そして、抽選処理が終了する。
　上述したステップ１０５の回転リール40の回転停止処理について、図１０を用いて説明する。
　ステップ３００において、所定の図柄に対して、蹴飛ばしの設定が達成されたか否かが判定される。そして、所定の図柄の蹴飛ばしの設定が達成されていないと判定された場合、次のステップ３０１に進む。
　ステップ３０１において、１個の図柄分だけ、回転リール40を回転させる。すなわち、１個の図柄分だけ蹴飛ばしを行う。そして、次のステップ３０２に進む。
【００６５】
　ステップ３０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ３０３に進む。
　ステップ３０３において、回転リール40の回転を停止させる。これにより、メダル投入から回転リール40の回転停止までのスロットマシン10の動作が終了する。
　前記ステップ３００において、所定の図柄の蹴飛ばしの設定が達成されていると判定された場合、次のステップ３０４に進む。
【００６６】
　ステップ３０４において、いずれかの図柄に対して引き込みが設定されているか否かが判定される。そして、いずれかの図柄に対して引き込みが設定されていると判定された場合、次のステップ３０５に進む。
　ステップ３０５において、引き込み設定が達成されたか否かが判定される。そして、引き込み設定が達成されたと判定された場合、次のステップ３０３に進む。
　前記ステップ３０４において、いずれの図柄に対しても引き込みが設定されていないと判定された場合、ステップ３０３に進む。
前記ステップ３０５において、引き込み設定が達成されていないと判定された場合、ステップ３０１に進む。
【００６７】
　前記ステップ３０２において、ストップスイッチ50を操作した後、１図柄ずつ回転リール40を回転させてずらした図柄の数が４個目でない場合には、ステップ３００に戻る。
【図面の簡単な説明】
【００６８】
【図１】本発明の実施の形態であって、スロットマシンの入力、制御及び出力を示すブロック図である。
【図２】本発明の実施の形態であって、スロットマシンを示す外観正面図である。
【図３】本発明の実施の形態であって、スロットマシンの回転リールを示す外観正面図である。
【図４】本発明の実施の形態であって、ライン決定用回転リールのリールテープを示す展開図である。
【図５】本発明の実施の形態であって、ライン決定用回転リールのリールテープを示す展開図である。
【図６】本発明の実施の形態であって、ライン決定用回転リールのリールテープを示す展開図である。
【図７】本発明の他の実施の形態であって、ライン決定用回転リールのリールテープを示す展開図である。
【図８】本発明の実施の形態であって、スロットマシンの動作の概略を示すフローである。
【図９】本発明の実施の形態であって、スロットマシンの動作のうち、抽選処理の概略を示すフローである。
【図１０】本発明の実施の形態であって、スロットマシンの動作のうち、回転リールの回転停止処理の概略を示すフローである。
【符号の説明】
【００６９】
10　スロットマシン　　　　　　　　　11　筐体
12　表示窓　　　　　　　　　　　　　13　図柄表示窓
15　投入スイッチ　　　　　　　　　　16　ベットスイッチ
17　精算スイッチ　　　　　　　　　　20　制御装置
21　遊技制御装置　　　　　　　　　　22　演出制御装置
30　スタートスイッチ　　　　　　　　40　回転リール
42　リールテープ　　　　　　　　　　43　左側回転リール
44　中央回転リール　　　　　　　　　45　右側回転リール
46　ライン決定用回転リール　　　　　47　入賞図柄決定用回転リール
50　ストップスイッチ　　　　　　　　51　ラインリール用ストップスイッチ
60　リールユニット　　　　　　　　　61　図柄
65　ホッパーユニット　　　　　　　　66　表示装置
70　通常遊技制御手段　　　　　　　　80　特別遊技制御手段
90　ＢＢゲーム制御手段　　　　　　　91　特定導入遊技制御手段
100  ＲＢゲーム制御手段　　　　　　101  特定遊技制御手段
110  入賞抽選手段　　　　　　　　　111  乱数発生手段
112  乱数抽出手段　　　　　　　　　113  入賞判定テーブル
114  判定手段　　　　　　　　　　　120  入賞ライン抽選手段
130  ライン決定リール回転制御手段　140  入賞決定リール回転制御手段
150  回転リール制御手段
【図１】
2004000789.tif 000003
【図２】
2004000789.tif 000004
【図３】
2004000789.tif 000005
【図４】
2004000789.tif 000006
【図５】
2004000789.tif 000007
【図６】
2004000789.tif 000008
【図７】
2004000789.tif 000009
【図８】
2004000789.tif 000010
【図９】
2004000789.tif 000011
【図１０】
2004000789.tif 000012